(57)【要約】【課題】秘密にしたいアプリケーションが他人に容易に知られてしまうことを抑制でき、利便性の高い携帯端末装置を提供する。【解決手段】携帯電話機は、第１ディスプレイ１１、第２ディスプレイ２１およびＣＰＵ１００を備える。ディスプレイ１１、２１にはアイコンＭ１、Ｍ２が表示され、当該アイコンＭ１、Ｍ２が操作されると、対応するアプリケーションが実行される。ＣＰＵ１００は、設定操作に応じて、秘密にするアイコンＭ２を設定する。秘密のアイコンＭ２が設定された状態において、第２キャビネット２が開かれると、ＣＰＵ１００は、第２ディスプレイ２１のメニュー画面上に秘密のアイコンＭ２以外のアイコンＭ２を表示し、秘密のアイコンＭ２を表示しない。【選択図】図３
2011198055.tif 000002
【特許請求の範囲】
【請求項１】
表示部に表示されたアイコンに対する操作によって、当該アイコンに対応付けられたアプリケーションを実行する携帯端末装置において、
前記表示部に対する表示制御を行う表示制御部と、
設定操作に応じて、秘密にするアイコンを設定する設定部と、を備え、
前記表示制御部は、前記設定部によって設定された秘密のアイコンをアイコン表示画面に含めないように制御する、
ことを特徴とする携帯端末装置。
【請求項２】
請求項１に記載の携帯端末装置において、
外部からの許可操作を検出するための検出部を備え、
前記表示制御部は、前記許可操作が検出されると、前記秘密のアイコンを前記アイコン表示画面上に表示する、
ことを特徴とする携帯端末装置。
【請求項３】
請求項２に記載の携帯端末装置において、
前記表示部は、第１の表示部および第２の表示部を含み、
前記第１の表示部のみが外部に露出する第１の状態と、前記第１の表示部および前記第２の表示部の両方が外部に露出する第２の状態に切り替えるための切替部をさらに備え、
前記表示制御部は、前記第１の状態おいて前記許可操作が検出された後に、前記第２の状態に切り替えられると、前記第１の表示部と前記第２の表示部の両方または何れか一方に、前記秘密のアイコンを含む前記アイコン表示画面を表示する、
ことを特徴とする携帯端末装置。
【請求項４】
請求項３に記載の携帯端末装置において、
前記表示制御部は、前記第２の状態において前記秘密のアイコンに対応する秘密のアプリケーションが実行され、当該アプリケーションの動作画面が表示されているときに、前記第１の状態に切り替えられると、前記秘密のアプリケーションの動作画面の表示を中止する、
ことを特徴とする携帯端末装置。
【請求項５】
請求項４に記載の携帯端末装置において、
前記表示制御部は、前記動作画面の表示が中止された後の前記第１の状態において、前記許可操作が検出され、さらに前記第２の状態に切り替えられると、前記秘密のアプリケーションの動作画面を再び表示する、
ことを特徴とする携帯端末装置。
【請求項６】
請求項４に記載の携帯端末装置において、
前記表示制御部は、前記動作画面の表示が中止された後の前記第１の状態において、前記許可操作が検出されずに、前記第２の状態に切り替えられると、前記秘密のアプリケーションの動作画面を表示しない、
ことを特徴とする携帯端末装置。
【請求項７】
請求項３ないし６の何れか一項に記載の携帯端末装置において、
前記表示制御部は、前記検出部によって前記許可操作が検出された後、所定の制限時間内に前記第２の状態に切り替えられなければ、前記許可操作を無効とする、
ことを特徴とする携帯端末装置。
【請求項８】
請求項３ないし７の何れか一項に記載の携帯端末装置において、
前記第１の表示部に対する操作入力を受け付ける操作入力部をさらに備え、
前記許可操作は、前記第１の状態において、前記第１の表示部に対する操作入力を行うことにより受け付けられる、
ことを特徴とする携帯端末装置。
【請求項９】
請求項８に記載の携帯端末装置において、
前記第１の表示部に対する操作入力を前記許可操作として登録する記憶部をさらに備え、
前記検出部は、前記記憶部に登録された操作入力と、前記第１の状態において前記第１の表示部に入力された操作入力とを照合して、前記許可操作が行われたかを検出する、
ことを特徴とする携帯端末装置。
【請求項１０】
請求項８または９に記載の携帯端末装置において、
前記操作入力部は、前記第１の表示部に重ねて配置されたタッチセンサを含む、
ことを特徴とする携帯端末装置。
【発明の詳細な説明】
【技術分野】
【０００１】
本発明は、携帯電話機やＰＤＡ（Personal Digital Assistant）等の携帯端末装置に関する。
【背景技術】
【０００２】
近年、携帯電話機やＰＤＡ等の携帯端末装置には、様々なアプリケーションが搭載されている。また、ユーザがウェブサイト等から好みのアプリケーションをダウンロードし、携帯端末装置にインストールすることもできる。
【０００３】
携帯端末装置のディスプレイには、アプリケーションに対応するアイコンが表示される。アイコンは、たとえば、アプリケーションの種類や機能に基づく図柄を有している。また、アイコンには、図柄の周囲に、アプリケーションの名称等、アプリケーションを識別できる文字が付されていることも多い。表示されたアイコンが操作されると、対応するアプリケーションが起動する（特許文献１参照）。
【先行技術文献】
【特許文献】
【０００４】
【特許文献１】特開２００７−１４１０６４号公報
【発明の概要】
【発明が解決しようとする課題】
【０００５】
ところで、携帯端末装置に搭載されたアプリケーションの中には、ユーザが他人には秘密にしたいアプリケーションが含まれている場合がある。しかしながら、携帯端末装置は人前で使用されることが多く、また、携帯端末装置のディスプレイ上には、上記のようにアイコンが表示されるため、このように秘密にしたいアプリケーションが容易に他人に知られてしまう惧れがあった。
【０００６】
特に、ウェブサイト等を活用して、ユーザが好みのアプリケーションを携帯端末装置へ自由に追加できる現状下においては、秘密にしたいアプリケーションがインストールされるケースも多く、このような問題が生じやすい。
【０００７】
本発明は、このような課題に鑑みてなされたものであり、秘密にしたいアプリケーションが容易に知られてしまうことを抑制でき、利便性の高い携帯端末装置を提供することを目的とする。
【課題を解決するための手段】
【０００８】
本発明は、表示部に表示されたアイコンに対する操作によって、当該アイコンに対応付けられたアプリケーションを実行する携帯端末装置に関する。本発明の携帯端末装置は、前記表示部に対する表示制御を行う表示制御部と、設定操作に応じて、秘密にするアイコンを設定する設定部とを備える。ここで、前記表示制御部は、前記設定部によって設定された秘密のアイコンをアイコン表示画面に含めないように制御する。
【０００９】
本発明の携帯端末装置によれば、秘密にしたいアイコンがアイコン表示画面に表示されないため、秘密にしたいアプリケーションを他人に知られにくくすることができる。
【００１０】
本発明の携帯端末装置は、外部からの許可操作を検出するための検出部を備えるような構成とされ得る。この場合、前記表示制御部は、前記許可操作が検出されると、前記秘密
のアイコンを前記アイコン表示画面上に表示する。
【００１１】
このような構成とすれば、ユーザは、許可操作を行うことにより、秘密のアイコンをアイコン表示画面に表示させることができる。よって、ユーザは、他のアプリケーションと同様、アイコン表示画面から対応するアイコンを選択操作することで、秘密のアプリケーションを起動することができる。
【００１２】
本発明の携帯端末装置において、前記表示部は、第１の表示部および第２の表示部を含むような構成とされ得る。このとき、携帯端末装置は、前記第１の表示部のみが外部に露出する第１の状態と前記第１の表示部および前記第２の表示部の両方が外部に露出する第２の状態に切り替えるための切替部をさらに備えるような構成とされ得る。この場合、前記表示制御部は、前記第１の状態おいて前記許可操作が検出された後に、前記第２の状態に切り替えられると、前記第１の表示部と前記第２の表示部の両方または何れか一方に、前記秘密のアイコンを含む前記アイコン表示画面を表示する。
【００１３】
このような構成とすれば、第１の状態において許可操作がなされても、第２の状態に切り替えられなければ、秘密のアイコンが表示されることがない。よって、万一、他人により許可操作がなされても、秘密のアイコンが見られにくくなる。また、ユーザは、第２の状態に切り替えるといった簡単な操作により、秘密のアイコンを表示させることができる。
【００１４】
本発明の携帯端末装置において、前記表示制御部は、前記第２の状態において前記秘密のアイコンに対応する秘密のアプリケーションが実行され、当該アプリケーションの動作画面が表示されているときに、前記第１の状態に切り替えられると、前記秘密のアプリケーションの動作画面の表示を中止するような構成とされ得る。
【００１５】
このような構成とすれば、第２の状態において秘密のアプリケーションが実行されているときに、第２の状態から第１の状態へ切り替えるだけで、その動作画面の表示を中止することができる。よって、秘密にしたいアプリケーションを一層他人に知られにくくすることができる。
【００１６】
本発明の携帯端末装置において、前記表示制御部は、前記動作画面の表示が中止された後の前記第１の状態において、前記許可操作が検出され、さらに前記第２の状態に切り替えられると、前記秘密のアプリケーションの動作画面を再び表示するような構成とされ得る。
【００１７】
このような構成とすれば、動作画面の表示が中止されても、許可操作がなされ、かつ、第２の状態に切り替えられると、動作画面が再び表示されるため、秘密にしたいアプリケーションを再度一から立ち上げるような面倒な作業が必要とならない。
【００１８】
本発明の携帯端末装置において、前記表示制御部は、前記動作画面の表示が中止された後の前記第１の状態において、前記許可操作が検出されずに、前記第２の状態に切り替えられると、前記秘密のアプリケーションの動作画面を表示しないような構成とされ得る。
【００１９】
このような構成とすれば、許可操作がなされない限り、第２の状態に切り替えても秘密のアプリケーションの動作画面が表示されないので、秘密のアプリケーションの存在を他人に知られにくくすることができる。
【００２０】
本発明の携帯端末装置において、前記表示制御部は、前記検出部によって前記許可操作が検出された後、所定の制限時間内に前記第２の状態に切り替えられなければ、前記許可
操作を無効とするような構成とされ得る。
【００２１】
このような構成とすれば、一旦、許可操作がなされても、制限時間内に第２の状態に切り替えられなければ、その後、第２の状態となっても秘密のアイコンが表示されない。よって、万一、他人により許可操作がなされても、秘密のアイコンがより見られにくくなる。
【００２２】
本発明の携帯端末装置は、前記第１の表示部に対する操作入力を受け付ける操作入力部をさらに備えるような構成とされ得る。前記許可操作は、前記第１の状態において、前記第１の表示部に対する操作入力を行うことにより受け付けられる。
【００２３】
このとき、本発明の携帯端末装置は、前記第１の表示部に対する操作入力を前記許可操作として登録する記憶部をさらに備えるよう構成され得る。この場合、前記検出部は、前記記憶部に登録された操作入力と、前記第１の状態において前記第１の表示部に入力された操作入力とを照合して、前記許可操作が行われたかを検出する。
【００２４】
さらに、操作入力部は、前記第１の表示部に重ねて配置されたタッチセンサを含むような構成とされ得る。
【００２５】
このような構成とすれば、ユーザは、第１の表示部に入力を行えば良いので、許可操作を容易に行うことができる。また、ユーザは、第１の状態で第１の表示部に入力を行った後、第２の状態に切り替えれば良いので、秘密の解除を簡易な操作で行うことができる。さらに、この場合、許可操作を所定の図形入力として行うようにすると、さらに許可操作が簡単となり、且つ、許可操作をユーザ固有のものにすることが可能となる。
【発明の効果】
【００２６】
本発明によれば、秘密にしたいアプリケーションが他人に容易に知られてしまうことを抑制でき、利便性の高い携帯端末装置を提供することができる。
【００２７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２８】
【図１】実施の形態に係る携帯電話機の外観構成を示す図である。
【図２】実施の形態に係る第２キャビネットが閉じた状態から開いた状態へ切替えるための切替え操作について説明するための図である。
【図３】実施の形態に係る携帯電話機の全体構成を示すブロック図である。
【図４】実施の形態に係る携帯電話機に表示されるメニュー画面の一例を示す図である。
【図５】実施の形態に係る秘密にするアイコンを設定登録するシークレット設定の制御処理を示すフローチャートである。
【図６】実施の形態に係るシークレット設定に関する画面表示例を示す図である。
【図７】実施の形態に係るシークレットモードが設定された際のアイコン表示に係る制御処理を示すフローチャートである。
【図８】実施の形態に係るシークレットモードが設定された際の画面表示の一例を示す図である。
【図９】変更例１に係るシークレットモードが設定された際のアイコン表示に係る制御処理を示すフローチャートである。
【図１０】変更例１に係るシークレットモードが設定された際の画面表示の一例を示す図である。
【図１１】変更例２に係るシークレットモード設定された際のアイコン表示について説明するための図である。
【図１２】変更例３に係る許可フラグを設定するための制御処理を示すフローチャートである。
【図１３】変更例４に係るシークレットモード設定された際のアイコン表示について説明するための図である。
【図１４】その他の変更例に係る携帯電話機の構成を説明するための図である。
【発明を実施するための形態】
【００２９】
以下、本発明の実施の形態について、図面を参照して説明する。
【００３０】
＜携帯電話機の構成＞
図１は、携帯電話機の構成を示す図（分解斜視図）である。携帯電話機は、第１キャビネット１と、第２キャビネット２と、これら第１、第２キャビネット１、２を保持する保持体３とで構成されている。
【００３１】
第１キャビネット１は、縦長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００３２】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００３３】
第１タッチパネル１２は、マトリクス状に配された第１透明電極と第２透明電極とを備えている。第１タッチパネル１２は、これら透明電極間の静電容量の変化を検出することによって、ユーザに触られたディスプレイ面上の位置を検出し、その位置に応じた位置信号を出力する。
【００３４】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、左側面近傍の中央位置に磁石１４が配されており、左前角部に磁石１５が配されている。さらに、上キャビネット１の前面および後面には、それぞれ、突起部１６、１７が設けられている。
【００３５】
第２キャビネット２は、縦長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００３６】
第２ディスプレイ２１の前面には、第２タッチパネル２２が配されている。第２タッチパネル２２の構成は、第１タッチパネル１２と同様である。
【００３７】
第２キャビネット２の内部には、右側面近傍の中央位置に磁石２３が配されている。
この磁石２３と第１キャビネット１の磁石１４とは、後述の如く大画面を構成する位置に第１キャビネット１と第２キャビネット２が位置づけられた状態（開状態）にあるときに、互いに引き合うよう構成されている。なお、第１キャビネット１および第２キャビネット２において、一方の磁石の磁力が十分大きければ、他方の磁石を磁性体に代えてもよい。
【００３８】
第２キャビネット２内部において、左前角部には閉鎖センサ２４が配されており、右前角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが左右に並んだ状態になると、第１キャビネット１の磁石１５が、開放センサ２５に接近するので、開放センサ２５からＯＮ信号が出力される。
【００３９】
さらに、第２キャビネット２の前面には２つの軸部２６が設けられており、後面には２つの軸部２７が設けられている。
【００４０】
保持体３は、底板部３１と、底板部３１の前端部に形成された前保持部３２と、底板部３１の後端部に形成された後保持部３３とで構成されている。底板部３１、前保持部３２および後保持部３３に囲まれた収容領域Ｒに、第１キャビネット１および第２キャビネット２が上下に重なった状態で収容される。
【００４１】
底板部３１には、３つのコイルバネ３４が前後方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００４２】
前保持部３２の上面にはマイク３５および電源キー３６が配されている。また、前保持部３２の外側面には、操作キー群３７が配されている。マナーモードの設定など、一定の機能については、これら操作キーを操作することにより、タッチパネル１２、２２を操作することなく実行される。後保持部３３の上面には、通話スピーカ３８が配されている。ユーザは、後保持部３３側が耳元に、前保持部３２側が口元にくるように携帯電話機を持って、通話を行う。
【００４３】
前保持部３２および後保持部３３の内側面には、案内溝３９（後保持部３３側のみ図示）が形成されている。案内溝３９は、左右方向に延びる上溝３９ａおよび下溝３９ｂと、溝の左側に形成され、上溝３９ａと下溝３９ｂとに繋がるよう上下に延びる２つの縦溝３９ｃとで構成されている。
【００４４】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００４５】
こうして、第１キャビネット１は、上溝３９ａに案内されて左右にスライド可能となる。また、第２キャビネット２は、下溝３９ｂに案内されて左右にスライド可能となる。また、第２キャビネット２が左方に移動し、軸部２６、２７が縦溝３９ｃまでくると、第２キャビネット２は、縦溝３９ｃに案内されて上下にスライド可能となる。
【００４６】
図２は、第２キャビネット２が閉じた状態から開いた状態へ切替えるための操作について説明するための図である。
【００４７】
初期の状態においては、同図（ａ）に示すように、第２キャビネット２が第１キャビネット１の背後に隠れた状態となっている。この状態（閉状態）においては、第１ディスプレイ１１のみが外部に露出している。切替えの操作は、ユーザによって手動で行われる。
【００４８】
まず、ユーザは、同図（ｂ）に示すように、第１キャビネット１を右方（矢印の方向）に移動させる。次に、第１キャビネット１の右方への移動が完了すると、同図（ｃ）に示すように、第２キャビネット２を左方へ引き出す。この引出し操作によって、第２キャビネット２が第１キャビネット１に完全に重ならない位置、すなわち第１キャビネット１の左側に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、第２キャビネット２が完全に開いた状態（開状態）になると、同図（ｄ）に示すように、第１キャビネット１と第２キャビネット２とが、左右に密着するように、且つ面一となるように並ぶ。第１ディスプレイ１１と第２ディスプレイ２１の双方が外部に露出し、２つの画面が一体化された大画面の状態となる。
【００４９】
図３は、携帯電話機の全体構成を示すブロック図である。本実施の形態の携帯電話機は、上述した各構成要素の他、ＣＰＵ１００、メモリ部２００、映像エンコーダ３０１、音声エンコーダ３０２、キー入力回路３０３、通信モジュール３０４、バックライト駆動回路３０５、映像デコーダ３０６、音声デコーダ３０７、外部スピーカ３０８を備えている。
【００５０】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ３０１へ出力する。映像エンコーダ３０１は、カメラモジュール１３から出力された撮像信号にエンコード処理を施してＣＰＵ１００へ出力する。
【００５１】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５２】
キー入力回路３０３は、電源キー３６や操作キー群３７の各キーが操作されたときに、各キーに応じた入力信号をＣＰＵ１００へ出力する。
【００５３】
通信モジュール３０４は、ＣＰＵ１００からの音声信号や画像信号、テキスト信号などの送信データを無線信号に変換し、アンテナ３０４ａを介して基地局へ送信する。また、アンテナ３０４ａを介して受信した無線信号を音声信号や画像信号、テキスト信号などの受信データに変換してＣＰＵ１００へ出力する。
【００５４】
バックライト駆動回路３０５は、ＣＰＵ１００からの制御信号に応じた電圧信号を第１バックライト１１ｂおよび第２バックライト２１ｂに供給する。第１バックライト１１ｂは、バックライト駆動回路３０５からの電圧信号により点灯し、第１液晶パネル１１ａを照明する。第２バックライト２１ｂは、バックライト駆動回路３０５からの電圧信号により点灯し、第２液晶パネル２１ａを照明する。
【００５５】
なお、第２バックライト２１ｂは閉状態から開き始めると点灯してもよいし、開状態に
なったとき、あるいは開状態になる前（たとえば、図２（ｃ）の状態）に点灯してもよい。
【００５６】
映像デコーダ３０６は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００５７】
音声デコーダ３０７は、ＣＰＵ１００からの音声信号にデコード処理を施し、さらにアナログの音声信号に変換して通話スピーカ３８に出力する。また、音声デコーダ３０７は、ＣＰＵ１００からの着信音、アラーム音等の各種報知音の音信号にデコード処理を施し、さらにアナログの音信号に変換して外部スピーカ３０８へ出力する。通話スピーカ３８は、音声デコーダ３０７からの音声信号を音声として再生する。外部スピーカ３０８は、音声デコーダ３０７からの着信音等を再生する。
【００５８】
メモリ２００は、ＲＯＭおよびＲＡＭを含む。メモリ２００には、ＣＰＵ１００に制御機能を付与するための制御プログラム（各種のプリケーションを含む）が記憶されている。
【００５９】
また、メモリ２００には、カメラモジュール１３で撮影した画像データや通信モジュール３０４を介して外部から取り込んだ画像データ、テキストデータ（メールデータ）などが所定のファイル形式で保存される。
【００６０】
ＣＰＵ１００は、キー入力回路３０３およびタッチパネル１２、２２からの操作入力信号に基づき、制御プログラムに従って、カメラモジュール１３、マイク３５、通信モジュール３０４、液晶パネル１１ａ、２１ａ、通話スピーカ３８、外部スピーカ３０８等を動作させる。これにより、通話機能、電子メール機能等の各種機能（アプリケーション）を実行する。
【００６１】
また、ＣＰＵ１００は、メモリ２００内に用意されたワークエリア内で、各ディスプレイ１１、２１に表示する表示画面を生成し、表示画面を構成するための映像信号を出力する。
【００６２】
＜携帯電話機の機能＞
本実施の形態に係る携帯電話機の機能について説明する。
【００６３】
図４は、本実施の形態に係る携帯電話機に表示されるメニュー画面の一例を示す図である。図４（ａ）は、第２キャビネット２が閉じた状態において、第１ディスプレイ１１に表示されるメニュー画面の表示例を示す図である。図４（ｂ）は、第２キャビネット２が開いた状態において、第１ディスプレイ１１および第２ディスプレイ２１に表示されるメニュー画面の表示例を示す図である。
【００６４】
第２キャビネット２が閉じた状態において、第１ディスプレイ１１には、たとえば、メニュー画面として、同図（ａ）に示すように、電話機能、電子メール機能、カメラ機能、設定機能等、使用頻度の高い基本的なアプリケーションを実行するためのアイコンＭ１が表示される。
【００６５】
第２キャビネット２が開くと、第２ディスプレイ２１が外部に露出する。図４（ｂ）に示すように、第２ディスプレイ２１には、メニュー画面として第１ディスプレイ１１にアイコンＭ１が表示されたアプリケーション以外のアプリケーションに対応するアイコンＭ
２が表示される。アイコンＭ２に対応するアプリケーションには、予め搭載されているアプリケーション以外に、インターネットを通じたダウンロード等により入手可能され、インストールされたアプリケーションが含まれている。ユーザは、ゲームや辞書等、好みのアプリケーションを携帯電話機に追加することができる。
【００６６】
ユーザは、第１ディスプレイ１１や第２ディスプレイ１２に表示された所望のアイコンを指などでタッチすることにより、所望のアプリケーションを起動することができる。
【００６７】
第１ディスプレイ１１には、さらに、受信状態を示すアンテナマークＭ３およびバッテリーの残量を示す残量マークＭ４が表示される。ユーザは、アンテナマークＭ３により受信状態を確認でき、残量マークＭ４によりバッテリーの残量を確認することができる。
【００６８】
さて、携帯電話機に搭載されたアプリケーションの中には、ユーザが他人には秘密にしたいアプリケーションが含まれ得る。特に、ユーザは、好みのアプリケーションを追加することができるため、このようなアプリケーションの中に、秘密にしたいアプリケーションが含まれていることが多い。
【００６９】
アイコンＭ１、Ｍ２は、アプリケーションの種類や機能に基づく図柄により構成されている。また、アイコンＭ１、Ｍ２には、図柄自身やその周りにアプリケーションの名称等が付されている。よって、アイコンＭ１、Ｍ２が見られると、それに対応するアプリケーションが何であるかが知られてしまう惧れがある。
【００７０】
そこで、本実施の形態に係る携帯電話機は、他人には秘密にしたいアプリケーションを表示させないようにするシークレットモードの機能を備えている。以下、このシークレットモードの機能について説明する。
【００７１】
図５は、秘密にするアイコンを設定登録するためのシークレット設定の制御処理を示すフローチャートである。図６は、シークレット設定に関する画面表示例を示す図である。
【００７２】
シークレット設定は、第１ディスプレイ１１のみを用いて行うことができる。第２ディスプレイ２１が閉じた状態において、メニュー画面（図４参照）のアイコンＭ１の中から、設定機能に対応するアイコンＭ１が操作されると、図６の（画面１）に示すような、設定項目の一覧画面が表示される。この一覧画面から「シークレット」の項目が選択され、決定キーが押されると、シークレット設定の制御処理が開始される。
【００７３】
図５を参照して、ＣＰＵ１００は、まず、パスワードが既に登録されているか否かを判定する（Ｓ１０１）。そして、既にパスワードが登録されていれば（Ｓ１０１：ＹＥＳ）、図６の（画面２）に示すような、パスワード入力画面を第１ディスプレイ１１に表示する（Ｓ１０２）。
【００７４】
本実施の形態では、第１ディスプレイ１１上に手書きされる図形（文字、数字、記号等を含む）がパスワードとなる。パスワード入力画面には、パスワードとなる図形を描くための手書エリアが用意される。ユーザは、手書きエリアにパスワードとなる図形を指等で描いた後に決定キーを押す。タッチパネル１２からは、描かれた図形に応じた位置信号がＣＰＵ１００に出力される。このとき、ＣＰＵ１００は、ユーザの指の軌跡、即ち描かれた図形を第１ディスプレイ１１に表示する。これにより、ユーザは自分の描いた図形を目で確認することができる。
【００７５】
決定キーが押されることにより、入力操作がなされたと判定すると（Ｓ１０３：ＹＥＳ）、ＣＰＵ１００は、検出された位置信号に基づく図形のパターンと、予めパスワードと
してメモリ２００に登録された図形のパターンとのマッチングを行う。マッチングの結果、パスワードが正しい判定すると（Ｓ１０４：ＹＥＳ）、ＣＰＵ１００は、図６の（画面４）に示すような、アイコン選択画面を第１ディスプレイ１１に表示する（Ｓ１０５）。
【００７６】
なお、ＣＰＵ１００は、マッチングの結果、パスワードが誤っていると判定すると（Ｓ１０４：ＮＯ）、図６の（画面６）に示すような、パスワードが誤っている旨の表示を第１ディスプレイ１１に行った後（Ｓ１０６）、再びパスワード入力画面を表示する（Ｓ１０２）。
【００７７】
また、ＣＰＵ１００は、ステップＳ１０１で、未だパスワードの登録がなされていないと判定すると（Ｓ１０１：ＮＯ）、図６の（画面３）に示すような、パスワード登録画面を第１ディスプレイ１１に表示する（Ｓ１０７）。
【００７８】
パスワード登録画面にも、パスワード入力画面と同様、パスワードとなる図形を描く手書エリアが用意されている。ユーザは、手書エリア内にパスワードとなる図形を描き、登録キーを押す。
【００７９】
登録キーが押されることにより、登録操作がなされたと判定すると（Ｓ１０８：ＹＥＳ）、ＣＰＵ１００は、描かれた図形をパスワードとしてメモリ２００に登録する。そして、アイコン選択画面を第１ディスプレイ１１に表示する（Ｓ１０５）。
【００８０】
図６の（画面４）に示すように、アイコン選択画面には、アイコンＭ２の一覧が表示される。ユーザは、秘密にするアイコンＭ２を指等でタッチする。ＣＰＵ１００は、選ばれたアイコンＭ２の色を変える。ユーザは、アイコンＭ２の選択を終えると決定キーを押す。
【００８１】
決定キーが押されることにより、秘密にするアイコンＭ２の選択が完了したと判定すると（Ｓ１１０：ＹＥＳ）、ＣＰＵ１００は、選択されたアイコンＭ２を秘密にするアイコンとしてメモリ２００に設定登録する（Ｓ１１１）。そして、シークレット設定がなされた旨の表示を第１ディスプレイ１１に行う（Ｓ１１２）。こうして、シークレット設定が終了する。
【００８２】
なお、本実施の形態では、アイコンＭ１は、基本的なアプリケーションであり、秘密にする必要がないと考えられるので、アイコンＭ２のみをシークレット設定の対象としている。しかしながら、アイコンＭ１をシークレット設定の対象とすることもできる。この場合、アイコン選択画面には、アイコンＭ１も表示される。
【００８３】
図７は、シークレットモードが設定された際のアイコン表示に係る制御処理を示すフローチャートである。図７（ａ）は、第２キャビネト２が開放されたときに第２ディスプレイ２１へアイコンＭ２を表示するための制御処理を示す。図７（ｂ）は、許可フラグを設定するための制御処理を示す。許可フラグは、シークレット設定されたアイコンＭ２を表示するか否かの判定に用いられる。また、図８は、シークレットモードが設定された際の画面表示の一例を示す図である。
【００８４】
第２キャビネット２が閉じられた状態において、携帯電話機への操作がないまま所定の時間が経過すると、第１ディスプレイ１１には、図８の（画面１）に示すような、待受画面が表示される。なお、待受画面を解除する操作（たとえば、操作キー群３７の中の所定のキーを押す）がなされると、待受画面が図４（ａ）のメニュー画面に切り替わる。
【００８５】
図７（ａ）を参照して、第２キャビネット２が閉じた状態において、ＣＰＵ１００は、
第２キャビネット２が開かれたか否かを判定する（Ｓ２０１）。ユーザは、アイコンＭ２に対応するアプリケーションを起動する場合、第２キャビネット２を開く。なお、図８の（画面１）のように第１ディスプレイ１１が待機画面の状態のときではなく、メニュー画面の状態のときに第２キャビネット２が開かれても良い。
【００８６】
ＣＰＵ１００は、第２キャビネット２が開かれると（Ｓ２０１：ＹＥＳ）、許可フラグの状態を確認する（Ｓ２０２）。そして、許可フラグがセットされていなければ（Ｓ２０２：ＮＯ）、図８の（画面２）に示すように、シークレット設定がなされていないアイコンＭ２のみを第２ディスプレイ２１のメニュー画面上に表示する（Ｓ２０３）、即ち、ＣＰＵ１００は、シークレット設定がなされたアイコン（秘密のアイコン）Ｍ２をメニュー画面上に表示しない。
【００８７】
このように、本実施の形態では、秘密にしたいアプリケーションについては、対応する秘密のアイコンがメニュー画面上に表示されないため、他人に知られる惧れがない。
【００８８】
また、本実施の形態では、特に、パスワードの入力が受け付けられても、第２キャビネット２が開けられなければ、秘密のアイコンＭ２が表示されない。このため、万一、他人によりパスワードが入力されても、秘密のアイコンＭ２が見られにくくなる。よって、本実施の形態では、よりセキュリティ性を高めることが可能となる。また、ユーザは、第２キャビネット２を開くといった簡単な操作により、秘密のアイコンＭ２を表示させることができる。
【００８９】
さて、ユーザは、秘密のアプリケーションを起動するときには、第１ディスプレイ１１に待受画面が表示されている状態で、秘密のアイコンの表示を許可するためのパスワード入力操作を行う。
【００９０】
図７（ｂ）を参照して、ＣＰＵ１００は、第１ディスプレイ１１が待受画面の状態になると（Ｓ３０１：ＹＥＳ）、パスワードの検出を開始する（Ｓ３０２）。即ち、第１ディスプレイ１１上に、パスワードとなる図形（文字、数字、記号等を含む）が描かれたか否かを検出する。
【００９１】
図８の（画面３）に示すように、ユーザは、パスワードとなる図形を入力する。本実施の形態では、秘密のアイコンの表示を許可するためのパスワードが、アイコンをシークレット設定するときのパスワードと同じにされている。
【００９２】
ユーザによってパスワードが入力されると、ＣＰＵ１００は、入力されたパスワードとメモリ２００に登録されたパスワードと照合する。そして、入力されたパスワードが正しければ、パスワードが検出されたと判定し（Ｓ３０３：ＹＥＳ）、許可フラグをセットする（Ｓ３０４）。
【００９３】
なお、図５に示すシークレット設定の制御処理と同様、ＣＰＵ１００は、ユーザによってパスワードとなる図形が入力された際、ユーザが描いた指の軌跡、即ち描かれた図形を第１ディスプレイ１１に表示する（図８の（画面３）参照）。これにより、ユーザは自分の描いた図形を目で確認することができる。しかしながら、このように描かれた図形が表示されると、何らかのパスワード設定がなされていることが他人に知られる惧れがある。よって、よりセキュリティ性を重視するなら、描かれた図形の表示を行わないようにしても良い。
【００９４】
ユーザは、パスワードを入力した後に第２キャビネット２を開く。すると、ＣＰＵ１００は、図７（ａ）のステップＳ２０２において、許可フラグがセットされていると判定し
（Ｓ２０２：ＹＥＳ）、図８の（画面４）に示すように、表示されるべき全てのアイコンＭ２を第２ディスプレイ２１のメニュー画面上に表示する（Ｓ２０４）。即ち、ＣＰＵ１００は、秘密のアイコンＭ２をメニュー画面上に表示する。
【００９５】
このように、本実施の形態では、ユーザは、パスワード入力操作、即ち、アイコン表示の許可操作を行うことにより、秘密のアイコンＭ２をメニュー画面上に表示させることができる。よって、ユーザは、他のアプリケーションと同様、メニュー画面から対応するアイコンＭ２を選択操作することで、秘密のアプリケーションを起動することができる。
【００９６】
さらに、ユーザは、第１ディスプレイ１１に入力を行えば良いので、許可操作を容易に行うことができる。また、ユーザは、第１ディスプレイ１１に入力を行った後、第キャビネット２を開ければ良いので、秘密の解除を簡易な操作で行うことができる。さらに、許可操作が所定の図形入力として行われるので、許可操作が簡単となり、且つ、許可操作をユーザ固有のものにすることができる。
【００９７】
図７（ｂ）に戻り、ＣＰＵ１００は、第２ディスプレイ２１に秘密のアイコンＭ２が表示されると（Ｓ３０５：ＹＥＳ）、許可フラグをリセットする（Ｓ３０６）。
【００９８】
これにより、秘密のアイコンＭ２が表示された状態から、ユーザが一旦、第２キャビネット２を閉じ、再び第２キャビネット２を開けたときには、図７（ａ）のステップＳ２０２で許可フラグがセットされていないと判定されるので、図８の（画面２）のように、秘密のアイコンＭ２が表示されない。このように、ユーザは、許可を取り消すような操作をしなくても、秘密の表示状態に戻すことが可能となる。
【００９９】
なお、パスワードの入力操作がなされた後、第２キャビネット２が開けられる前にパスワード入力操作以外の操作が行われた場合にも、許可フラグはリセットされる。この場合、その後、ユーザが第２キャビネット２を開けても、秘密のアイコンＭ２は表示されない。
【０１００】
＜変更例１＞
図９は、変更例１に係るシークレットモードが設定された際のアイコン表示に係る制御処理を示すフローチャートである。また、図１０は、変更例１に係るシークレットモードが設定された際の画面表示の一例を示す図である。
【０１０１】
本変更例では、図７（ａ）の制御処理に加えて、ステップＳ２０５〜Ｓ２１０の処理が実行される。即ち、本変更例において、ＣＰＵ１００は、第２キャビネット２が開かれた状態になると、次に、第２キャビネット２が閉じられたか否かを判定する（Ｓ２０８）。
【０１０２】
ＣＰＵ１００は、第２キャビネット２が閉じられると（Ｓ２０８：ＹＥＳ）、秘密のアプリケーションが実行されている途中であるか否かを判定する（Ｓ２０９）。秘密のアプリケーションが実行されていなければ、そのまま処理を終了する。この場合、第２キャビネット２が開かれていたときに、第１キャビネット１１に待受画面が表示されていれば、第２キャビネット２が閉じられても、そのまま待受画面が表示される。また、第２キャビネット２が開かれていたときに、シークレット設定されていないアプリケーションが実行されていれば、第２キャビネット２が閉じられると、そのアプリケーションに基づく動作画面が表示される。
【０１０３】
一方、第２キャビネット２が開いた状態において、図１０の（画面５）に示すように、秘密のアプリケーションが実行され、その動作画面が双方のディスプレイ１１、２１に表示されている場合がある。
【０１０４】
ＣＰＵ１００は、第２キャビネット２が閉じられた際に（Ｓ２０８：ＹＥＳ）、秘密のアプリケーションが実行されていると判定すると（Ｓ２０９：ＹＥＳ）、その動作画面の表示を中止して、図１０の（画面１）のように、待受画面を表示する（Ｓ２１０）。このとき、秘密のアプリケーションは、表示のない状態で（バックグランドにおいて）実行され続ける。
【０１０５】
このように、本実施の形態では、秘密のアプリケーションを実行しているときに、他人に見られそうになれば、第２キャビネット２を閉じるだけで、ディスプレイ上から動作画面の表示を中止することができる。よって、秘密にしたいアプリケーションを一層知られにくくすることができる。
【０１０６】
なお、図７（ｂ）に示すように、秘密のアイコンＭ２が表示された後は、許可フラグはリセットされる。このため、秘密のアプリケーションがバックグランドで実行されていても、再びパスワードが入力されなければ、第２キャビネット２が開かれたとき、第２ディスプレイ２１には、図１０の（画面２）のように、秘密のアイコンＭ２以外のアイコンＭ２が表示されるのみとなる。よって、秘密にしたいアプリケーションの動作画面が表示されないので、秘密のアプリケーションの存在を他人に知られにくくすることができる。
【０１０７】
また、本変更例では、第２キャビネット２が開かれ、さらに、許可フラグがセットされていると、ＣＰＵ１００は、秘密のアプリケーションが実行中であるか否かを判定する（Ｓ２０５）。そして、ＣＰＵ１００は、秘密のアプリケーションが実行中であれば（Ｓ２０５：ＹＥＳ）、そのアプリケーションの動作画面を双方のディスプレイ１１、２１に表示する（Ｓ２０６：図１０の画面３→画面５）。これにより、ユーザは、秘密のアプリケーションを再度一から立ち上げるような面倒な作業をしなくても、再び、そのアプリケーションを利用することができる。
【０１０８】
その後、ＣＰＵ１００は、許可フラグをリセットする（Ｓ２０７）。
【０１０９】
なお、ステップＳ２０５で、秘密のアプリケーションが実行中であると判定された場合に、まず、図１０の画面４のように、第２ディスプレイ２１に全てのアイコンＭ２が表示され、その後、実行中の秘密のアプリケーションに対応するアイコンＭ２がタッチされると、そのアプリケーションの動作画面が表示されるようにしても良い。
【０１１０】
＜変更例２＞
図１１は、変更例２に係るシークレットモード設定された際のアイコン表示について説明するための図である。図１１（ａ）は、アイコン表示に係る制御処理のフローチャートを示し、図１１（ｂ）は、変更例２で追加された処理に基づく画面表示の一例を示す。
【０１１１】
本変更例では、図７（ａ）の制御処理に加えて、ステップＳ２１１〜Ｓ２１３の処理が実行される。即ち、本変更例において、ＣＰＵ１００は、ステップＳ２０３で秘密のアイコンＭ２以外のアイコンＭ２を第２キャビネット２に表示した後に、許可フラグの状態を監視する（Ｓ２１１）。
【０１１２】
本変更例では、第２キャビネット２が開いた状態でも、図７の制御処理が行われ、図１１（ｂ）の（画面１）に示すように、ユーザによって第１ディスプレイ１１にパスワードが入力されると、許可フラグがセットされる。
【０１１３】
これにより、ＣＰＵ１００は、ステップＳ２１０で、許可フラグがセットされたと判定すると、図１１（ｂ）の（画面２）に示すように、第２ディスプレイ２１のメニュー画面
上に全てのアイコンＭ２を表示する（Ｓ２１２）。
【０１１４】
このようにすれば、第２キャビネット２を開いてからも、秘密のアイコンＭ２を第２ディスプレイ２１に表示させることができる。
【０１１５】
なお、許可フラグがセットされないまま（Ｓ２１１：ＮＯ）、第２キャビネット２が閉じられると（Ｓ２１３：ＹＥＳ）、処理が終了する。
【０１１６】
＜変更例３＞
図１２は、変更例３に係る許可フラグを設定するための制御処理を示すフローチャートである。
【０１１７】
本変更例では、図７（ｂ）の制御処理に加えて、ステップＳ３０７〜Ｓ３０９の処理が実行される。即ち、本変更例において、ＣＰＵ１００は、許可フラグをセットすると、第２キャビネット２が開かれる前に予め定められた制限時間が経過したか否かを判定する（Ｓ３０７、Ｓ３０８）。制限時間は、ＣＰＵ１００内のカウンタ（図示せず）によって、パスワードとなる図形が描き終わり、ユーザの指が第１ディスプレイ１１（第１タッチパネル１２）上から離れたときからカウントされる。
【０１１８】
ユーザ自身が、秘密のアイコンの表示を目的としてパスワードを入力した場合、パスワード入力後、直ちに第２キャビネット２が開かれ得る。制限時間は、このような、ユーザにより正当にパスワード入力が行われたときに、第２キャビネット２が開かれる時間を考慮して設定される。
【０１１９】
第２キャビネット２が開かれないまま、制限時間が経過すると（Ｓ３０７：ＮＯ→Ｓ３０８：ＹＥＳ）、ＣＰＵ１００は、入力されたパスワードを無効にして、許可フラグをリセットする（Ｓ３０９）。
【０１２０】
なお、このとき、ＣＰＵ１００は、制限時間が経過するまではユーザによって描かれた図形を表示し、制限時間が経過したときに図形を消す。このように、入力された図形を消すことで、ユーザにパスワードが無効になったことを知らせる。
【０１２１】
本変更例の構成とすれば、一旦、パスワードが受け付けられても、制限時間内に第２キャビネット２が開かれなければ、そのパスワードが無効にされるので、その後に、第２キャビネット２が開かれても秘密のアイコンＭ２が表示されない。よって、万一、他人によってパスワードが入力されても、秘密のアイコンがより一層見られにくくなる。
【０１２２】
＜変更例４＞
上記実施の形態では、シークレット設定の対象となるアイコンＭ２が、第２ディスプレイ２１に表示される構成とされている。しかしながら、第２キャビネット２が閉じた状態において、第１ディスプレイ１１に、アイコンＭ１とともにアイコンＭ２が表示される構成としても良い。
【０１２３】
図１３は、変更例４に係るシークレットモード設定された際のアイコン表示について説明するための図である。図１３（ａ）は、第１ディスプレイ１１へのアイコンＭ１、Ｍ２を表示するための制御処理を示す。図１３（ｂ）は、許可フラグを設定するための制御処理を示す。また、図１３（ｃ）は、シークレットモード設定された際の画面表示の一例を示す図である。
【０１２４】
図１３（ａ）を参照して、第１ディスプレイ１１にメイン画面を表示する際、ＣＰＵ１
００は、第１ディスプレイ１１のメニュー画面上にアイコンＭ１と、シークレット設定されていないアイコンＭ２とを表示する（Ｓ４０１）。その後、許可フラグの状態を監視する（Ｓ４０２）。そして、許可フラグがセットされたと判定すると、第１ディスプレイ１１に、秘密のアイコンＭ２を追加することにより、全てのアイコンＭ２をメニュー画面上に表示する。
【０１２５】
図１３（ｂ）を参照して、第１ディスプレイ１１にメニュー画面が表示された状態において、ＣＰＵ１００は、パスワードの検出を開始する（Ｓ５０１）。即ち、ＣＰＵ１００は、操作キー群３７の中の所定のキーが押されている間に、パスワードとなる図形が描かれたか否かを検出する。所定のキーが押されている間は、アイコンＭ１、Ｍ２にタッチされても、その操作は受け付けられず、アプリケーションが起動しない。
【０１２６】
ユーザは、上記所定のキーを押しながら、第１ディスプレイ１１上にパスワードとなる図形を描く。ユーザによってパスワードが入力されると、ＣＰＵ１００は、入力されたパスワードとメモリ２００に登録されたパスワードと照合する。そして、入力されたパスワードが正しければ、ＣＰＵ１００は、パスワードが検出されたと判定し（Ｓ５０２：ＹＥＳ）、許可フラグをセットする（Ｓ５０３）。
【０１２７】
その後、メニュー画面に表示されたアプリケーションが起動され、表示画面が切り替わると（Ｓ５０４：ＹＥＳ）、ＣＰＵ１００は、許可フラグをリセットする（Ｓ５０６）。
【０１２８】
このように、図１３（ａ）、（ｂ）の制御処理が行われることにより、図１３（ｃ）に示すように、シークレット設定がされていないアイコンＭ２のみがメニュー画面上に表示された状態において、ユーザがパスワードを入力すると（画面１）、全てのアイコンＭ２がメニュー画面上に表示されるようになる（画面２）。
【０１２９】
＜その他＞
以上、本発明の実施形態について説明したが、本発明は上記実施の形態によって何ら制限されるものではなく、また、本発明の実施形態も上記の他に種々の変更が可能である。
【０１３０】
たとえば、携帯電話機がタスク切替え機能を有する場合には、図１４に示すように、第２キャビネット２が開いた状態でタスク切換え操作がなされると、第２ディスプレイ２１にタスクバーＭ６が表示される（画面２参照）。タスクバーＭ６には、バックグランドで実行されているアプリケーションのアイコンが表示される。この場合、秘密のアプリケーションがバックグランドで実行されていても、タスクバーＭ６には、そのアプリケーションに対応するアイコンが表示されないような構成される。このようにすれば、タスクバーＭ６において、秘密にしたいアプリケーションに対応するアイコンが見られるのを防止できる。
【０１３１】
また、上記実施の形態では、秘密のアイコンの表示を許可するためのパスワード入力操作として、ディスプレイ上に手書きの図形（文字等）を入力するようにしたが、これに限らず、他のパスワード入力操作がなされても良い。たとえば、暗証番号が入力されるようにしても良い。また、ディスプレイ上のタッチパネルへのタッチの態様、即ち、タッチする回数、タッチの時間間隔（リズム）、同時にタッチされる指の本数などがパスワード入力操作とされても良い。
【０１３２】
さらに、上記実施の形態では、操作を易しくするため、秘密のアイコンが複数ある場合に、パスワードが入力されると、全ての秘密のアイコンが表示される構成とされている。しかしながら、これに限らず、秘密のアイコンの個々にパスワードが設定され、入力されたパスワードに対応する秘密のアイコンのみが表示されるような構成とされても良い。こ
のようにすれば、操作は複雑になってしまうものの、起動したいアプリケーションに対応する秘密のアイコンのみを表示させることができるので、他の秘密のアイコンに対する秘密性を高めることができる。
【０１３３】
また、上記実施の形態では、第２キャビネット２が開けられた状態で、第２ディスプレイ２１にアイコンＭ２を表示するようにしたが、第２ディスプレイ２１でなく、第１ディスプレイ１１にアイコンＭ２を表示するようにしても良い。また、双方のディスプレイ１１、２１にアイコンＭ２を表示するようにしても良い。
【０１３４】
さらに、本発明の携帯端末装置は、携帯電話機に限られず、ＰＤＡ（PersonalDigital Assistant）等であってもよい。
【０１３５】
この他、本発明の実施の形態は、特許請求の範囲に示された技術的思想の範囲内において、適宜、種々の変更が可能である。
【符号の説明】
【０１３６】
１１  第１ディスプレイ（表示部、第１の表示部）
１２  第１タッチパネル（操作入力部、タッチセンサ）
１４  磁石（切替部）
１６  突起部（切替部）
１７  突起部（切替部）
２１  第２ディスプレイ（表示部、第２の表示部）
２２  第２タッチパネル（操作入力部、タッチセンサ）
２３  磁石（切替部）
２６  軸部（切替部）
２７  軸部（切替部）
３４  コイルバネ（切替部）
３９  案内溝（切替部）
１００  ＣＰＵ（設定部、表示制御部、検出部）
２００  メモリ（記憶部）
【図１】
2011198055.tif 000003
【図２】
2011198055.tif 000004
【図３】
2011198055.tif 000005
【図４】
2011198055.tif 000006
【図５】
2011198055.tif 000007
【図６】
2011198055.tif 000008
【図７】
2011198055.tif 000009
【図８】
2011198055.tif 000010
【図９】
2011198055.tif 000011
【図１０】
2011198055.tif 000012
【図１１】
2011198055.tif 000013
【図１２】
2011198055.tif 000014
【図１３】
2011198055.tif 000015
【図１４】
2011198055.tif 000016